(57)【要約】【課題】  フック部の周囲の取り付け台部の表面を覆うカバー体で、フック嵌め空間を塞いだり、開放したりすることができるようにする。【解決手段】  取り付け台部５からフック部６を前方突出したフック体３と、このフック体３に嵌脱可能に装着されていてフック部６の周囲の取り付け台部５の表面を覆うカバー体４とを有するフック具である。前記フック体３の取り付け台部５は外周部に嵌合部８を有し、前記カバー体４は外周壁に前記嵌合部８と周方向位置変更可能に嵌合して装着される被嵌合部９を有し、前記カバー体４は前面に、フック体３の先端部と取り付け台部５の前面との間のフック嵌め空間Ｓを塞ぐ塞ぎ部Ｆと、この塞ぎ部Ｆから周方向に変位した位置で前記フック嵌め空間Ｓに対向して開放する開放部Ｋとを形成している。【選択図】図１
2020139617.tif 000002
【特許請求の範囲】
【請求項１】
取り付け台部（５）からフック部（６）を前方突出したフック体（３）と、このフック体（３）に嵌脱可能に装着されていてフック部（６）の周囲の取り付け台部（５）の表面を覆うカバー体（４）とを有するフック具であって、
前記フック体（３）の取り付け台部（５）は外周部に嵌合部（８）を有し、
前記カバー体（４）は外周壁に前記嵌合部（８）と周方向位置変更可能に嵌合して装着される被嵌合部（９）を有し、
前記カバー体（４）は前面に、フック部（６）の先端部と取り付け台部（５）の前面との間のフック嵌め空間（Ｓ）を塞ぐ塞ぎ部（Ｆ）と、この塞ぎ部（Ｆ）から周方向に変位した位置で前記フック嵌め空間（Ｓ）に対向して開放する開放部（Ｋ）とを形成していることを特徴とするフック具。
【請求項２】
前記カバー体（４）は前面に、フック部（６）を中心として対称位置に一対の塞ぎ部（Ｆ）を有し、かつ、この一対の塞ぎ部（Ｆ）から周方向略９０度変位した位置に一対の開放部（Ｋ）を有することを特徴とする請求項１に記載のフック具。
【請求項３】
前記カバー体（４）は、筒形状の外周壁（４ａ）と、前記フック部（６）を挿通する筒形状の内周壁（４ｂ）と、前記外周壁（４ａ）と内周壁（４ｂ）とを連結して前面を形成する前面壁（４ｃ）とを有しており、前記前面壁（４ｃ）は、フック部（６）を中心として対称位置を前方へ膨出して一対の塞ぎ部（Ｆ）を形成し、この一対の塞ぎ部（Ｆ）の間に底面が円弧凹状の開放部（Ｋ）を形成していることを特徴とする請求項１又は２に記載のフック具。
【請求項４】
前記フック体（３）の嵌合部（８）は環状の溝部（８ａ）で形成され、この溝部（８ａ）内に少なくとも１つの係合突起（８ｂ）が形成されており、
前記カバー体（４）の被嵌合部（９）は、カバー体（４）の外周壁（４ａ）から径内方向に突出していて前記溝部（８ａ）に嵌入する挿入片（９ａ）が形成され、この挿入片（９ａ）には、前記塞ぎ部（Ｆ）がフック嵌め空間（Ｓ）を塞ぐときに前記係合突起（８ｂ）と係合する塞ぎ位置決め凹部（９ｂ）が形成されていることを特徴とする請求項１〜３のいずれか１項に記載のフック具。
【請求項５】
前記フック体（３）の嵌合部（８）は環状の溝部（８ａ）で形成され、この溝部（８ａ）内に１８０度変位して２つの係合突起（８ｂ）が形成されており、
前記カバー体（４）の被嵌合部（９）は、カバー体（４）の外周壁（４ａ）から径内方向に突出していて前記溝部（８ａ）に嵌入する挿入片（９ａ）が形成されており、
前記挿入片（９ａ）として、前記塞ぎ部（Ｆ）がフック嵌め空間（Ｓ）を塞ぐときに前記係合突起（８ｂ）と係合する塞ぎ位置決め凹部（９ｂ）を形成した挿入片（９ａ）と、前記開放部（Ｋ）がフック嵌め空間（Ｓ）に対向するときに前記係合突起（８ｂ）と係合する開放位置決め凹部（９ｃ）を形成した挿入片（９ａ）とを有していることを特徴とする請求項１〜４のいずれか１項に記載のフック具。
【発明の詳細な説明】
【技術分野】
【０００１】
本発明は、リード、ワイヤ、チェーン等を引っ掛けるフック具に関する。
【背景技術】
【０００２】
壁面等に固定しておいて、動物用リードの環状の持ち手を引っ掛けて繋留しておけるフック具としては、特許文献１に記載された留金付フック金具がある。
この留金付フック金具は、鉤状のフック本体と前記フック本体の開口部を回転自在に閉塞する留め金とを備え、前記留め金は前記フック本体の先端部に外方に向けて付勢した状態で係止されると共に、前記留め金の先端部は前記フック本体の内方に向けて湾曲する被掛合部材取り外しガイド部を形成してなる（請求項１）。
【先行技術文献】
【特許文献】
【０００３】
【特許文献１】実用新案登録第３１２６４４３号公報
【発明の概要】
【発明が解決しようとする課題】
【０００４】
前記従来技術は、リード等の被掛合部材を簡単にフック本体に掛合できかつ留め金によって確実に外し止めができるが、フック本体は壁面等にネジを介して固定されているにも関わらず、その前面は露出されていて、その前面を覆うカバーはなく、また、留め金が障害になってカバーを設け難い構造になっている。
本発明は、このような従来技術の問題点を解決できるようにしたフック具を提供することを目的とする。
【０００５】
本発明は、フック部の周囲の取り付け台部の表面を覆うカバー体で、フック嵌め空間を塞ぐことができるようにしたフック具を提供することを目的とする。
【課題を解決するための手段】
【０００６】
本発明における課題解決のための具体的手段は、次の通りである。
第１に、取り付け台部５からフック部６を前方突出したフック体３と、このフック体３に嵌脱可能に装着されていてフック部６の周囲の取り付け台部５の表面を覆うカバー体４とを有するフック具であって、
前記フック体３の取り付け台部５は外周部に嵌合部８を有し、
前記カバー体４は外周壁に前記嵌合部８と周方向位置変更可能に嵌合して装着される被嵌合部９を有し、
前記カバー体４は前面に、フック部６の先端部と取り付け台部５の前面との間のフック嵌め空間Ｓを塞ぐ塞ぎ部Ｆと、この塞ぎ部Ｆから周方向に変位した位置で前記フック嵌め空間Ｓに対向して開放する開放部Ｋとを形成していることを特徴とする。
【０００７】
第２に、前記カバー体４は前面に、フック部６を中心として対称位置に一対の塞ぎ部Ｆを有し、かつ、この一対の塞ぎ部Ｆから周方向略９０度変位した位置に一対の開放部Ｋを有することを特徴とする。
第３に、前記カバー体４は、筒形状の外周壁４ａと、前記フック部６を挿通する筒形状の内周壁４ｂと、前記外周壁４ａと内周壁４ｂとを連結して前面を形成する前面壁４ｃとを有しており、前記前面壁４ｃは、フック部６を中心として対称位置を前方へ膨出して一対の塞ぎ部Ｆを形成し、この一対の塞ぎ部Ｆの間に底面が円弧凹状の開放部Ｋを形成していることを特徴とする。
【０００８】
第４に、前記フック体３の嵌合部８は環状の溝部８ａで形成され、この溝部８ａ内に少なくとも１つの係合突起８ｂが形成されており、
前記カバー体４の被嵌合部９は、カバー体４の外周壁４ａから径内方向に突出していて前記溝部８ａに嵌入する挿入片９ａが形成され、この挿入片９ａには、前記塞ぎ部Ｆがフック嵌め空間Ｓを塞ぐときに前記係合突起８ｂと係合する塞ぎ位置決め凹部９ｂが形成されていることを特徴とする。
【０００９】
第５に、前記フック体３の嵌合部８は環状の溝部８ａで形成され、この溝部８ａ内に１
８０度変位して２つの係合突起８ｂが形成されており、
前記カバー体４の被嵌合部９は、カバー体４の外周壁４ａから径内方向に突出していて前記溝部８ａに嵌入する挿入片９ａが形成されており、
前記挿入片９ａとして、前記塞ぎ部Ｆがフック嵌め空間Ｓを塞ぐときに前記各係合突起８ｂと係合する塞ぎ位置決め凹部９ｂを形成した挿入片９ａと、前記開放部Ｋがフック嵌め空間Ｓに対向するときに前記各係合突起８ｂと係合する開放位置決め凹部９ｃを形成した挿入片９ａとを有していることを特徴とする。
【発明の効果】
【００１０】
本発明によれば、フック部の周囲の取り付け台部の表面を覆うカバー体で、フック嵌め空間を塞いだり、開放したりすることができる。
即ち、請求項１に係る発明は、フック体３にフック部６の周囲の取り付け台部５の表面を覆うカバー体４を装着し、このカバー体４の前面に、フック嵌め空間Ｓを塞ぐ塞ぎ部Ｆと、フック嵌め空間Ｓに対向して開放する開放部Ｋとを形成しているので、カバー体４で取り付け台部５の表面を覆うだけでなく、カバー体４の開放部Ｋをフック嵌め空間Ｓに対向させることにより、フック部６への被掛合部材の掛脱ができ、カバー体４の塞ぎ部Ｆをフック嵌め空間Ｓに対向させることにより、フック部６に掛合した被掛合部材の外し止めをすることができる。
【００１１】
請求項２に係る発明は、カバー体４は対称位置に一対の塞ぎ部Ｆを有し、かつ、この一対の塞ぎ部Ｆから周方向略９０度変位した位置に一対の開放部Ｋを有するので、フック体３に対するカバー体４の嵌合装着する位置が１８０度違っても、一対の開放部Ｋのどちらか一方を、一対の塞ぎ部Ｆのどちらか一方を、それぞれフック嵌め空間Ｓに対向させることができる。
【００１２】
請求項３に係る発明は、カバー体４は前面壁４ｃに、前方へ膨出して一対の塞ぎ部Ｆを形成し、この一対の塞ぎ部Ｆの間に底面が円弧凹状の開放部Ｋを形成しているので、塞ぎ部Ｆ及び開放部Ｋを極めて簡単に形成できる。
請求項４に係る発明は、フック体３の嵌合部８に環状の溝部８ａと少なくとも１つの係合突起８ｂを形成し、カバー体４の被嵌合部９に挿入片９ａと塞ぎ位置決め凹部９ｂを形成しているので、塞ぎ部Ｆがフック嵌め空間Ｓを塞ぐ位置に、カバー体４を位置決めかつ保持しておくことができる。
【００１３】
請求項５に係る発明は、フック体３の嵌合部８に環状の溝部８ａと２つの係合突起８ｂを形成し、カバー体４の被嵌合部９に、塞ぎ部Ｆがフック嵌め空間Ｓを塞ぐときに前記各係合突起８ｂと係合する塞ぎ位置決め凹部９ｂを形成した挿入片９ａと、前記開放部Ｋがフック嵌め空間Ｓに対向するときに前記各係合突起８ｂと係合する開放位置決め凹部９ｃを形成した挿入片９ａとを形成しているので、塞ぎ部Ｆがフック嵌め空間Ｓを塞ぐ位置と開放部Ｋがフック嵌め空間Ｓを開放する位置とに、カバー体４を位置決めかつ保持しておくことができる。
【図面の簡単な説明】
【００１４】
【図１】本発明の実施形態を示す斜視図である。
【図２】同分解側面図である。
【図３】カバー体がフック嵌め空間塞ぎ位置の正面図である。
【図４】図３のＸ−Ｘ線断面図である。
【図５】カバー体がフック嵌め空間開放位置の正面図である。
【図６】図５のＹ−Ｙ線断面図である。
【図７】フック体の正面図である。
【図８】カバー体の背面図である。
【図９】フック具の平面図である。
【図１０】フック具の右側面図である。
【発明を実施するための形態】
【００１５】
以下、本発明の実施の形態を図面に基づいて説明する。
図１〜１０において、フック具１は大別して、フック部６を有するフック体３と、この
フック体３に嵌脱可能に装着されているカバー体４とで構成されている。
フック体３は円盤形状の取り付け台部５と、この取り付け台部５から前方へ突出して下部が取り付け台部５に連結されたフック部６とがアルミ合金等の軽金属又は強化プラスチック等で一体成形されている。前記取り付け台部５はネジ挿入孔１２が形成され、ネジを介して構造物の外壁Ｗに取り付けられる。
【００１６】
前記フック部６は側面視略Ｌ字形状（鉤形状）であり、その上端は取り付け台部５に近づくように屈曲しており、その先端と取り付け台部５との間がフック嵌め空間Ｓとなっており、被掛合部材Ｒはこのフック嵌め空間Ｓを通ってフック部６に掛合、引き抜き（嵌脱、取り付け・取り外しともいう。）が成される。
前記フック体３の取り付け台部５は、円形の外周部に嵌合部８を有し、この嵌合部８は断面四角形の溝部８ａを環状に形成され、この溝部８ａ内に、１８０度変位して２つの係合突起８ｂが形成されている。
【００１７】
前記カバー体４は、円筒形状の外周壁４ａと、前記フック部６を挿通する円筒形状の内周壁４ｂと、前記外周壁４ａの前端と内周壁４ｂの前端とを連結して前面を形成する前面壁４ｃとがプラスチック又はアルミ合金等の軽金属一体成形されている。
前記カバー体４の外周壁４ａには、図８に示されるように、取り付け台部５の嵌合部８と円周方向位置変更可能に嵌合して装着される被嵌合部９を有する。この被嵌合部９は、カバー体４の外周壁４ａの後端から径内方向に突出していて前記溝部８ａに嵌入する挿入片９ａが周方向断続的に多数形成されている。
【００１８】
図８において、１８０度変位した２つの挿入片９ａには、それぞれ係合突起８ｂと係合する凹部９ｂが形成され、この２つの挿入片９ａの間に、カバー体４を位置変更することにより前記係合突起８ｂと係合する凹部９ｃが形成された２つの挿入片９ａが位置している。
カバー体４の外周壁４ａの略９０度の範囲に凹部９ｂを形成した挿入片９ａと凹部９ｃを形成した挿入片９ａとが設けられており、両挿入片９ａの間には外周壁４ａ後端縁まで切り欠かれた切欠１３が形成されている。この切欠１３は、カバー体４をフック体３に装着した状態で両者の間にコイン挿入溝を形成する。前記切欠１３もコインを挿入してこじることにより、カバー体４をフック体３から離脱させることができる。
【００１９】
なお、カバー体４は切欠１３を形成しなくとも、フック体３との間に薄い隙間があれば、マイナスドライバ等でこじて、フック体３から離脱させることができる。また、カバー体４の外周壁４ａの挿入片９ａが周方向に多数分離分割して形成されていることにより、カバー体４の被嵌合部９が容易に変形しながらフック体３の嵌合部８に嵌脱できるようにしている。
前記カバー体４の前面壁４ｃには、フック部６を中心として対称位置を前方へ膨出して一対の塞ぎ部Ｆが形成され、この一対の塞ぎ部Ｆの間に底面が円弧凹状の開放部Ｋを形成されている。
【００２０】
前記前面壁４ｃは外周壁４ａから内周壁４ｂ側へ盛り上がるように膨出され、内周壁４ｂの中心を通る直線上で断面半円形の窪みを作ることにより、その窪みが対称形状の円弧凹状の２つの開放部Ｋとなり、窪みとならない部分が対称形状の２つの塞ぎ部Ｆとなっている。
前記塞ぎ部Ｆは図３、４に示す如く、フック部６の先端部とオーバラップする高さまで突出しており、フック嵌め空間Ｓに対向することによりその上方を塞ぐことができ、フック部６に掛合した被掛合部材Ｒの引き抜き（離脱）を阻止する。
【００２１】
この塞ぎ部Ｆは、対称位置に２つあるが一方のみでもよく、略半周に亘る広い幅を有するが、フック部６と同程度の幅であってもよく、表面は多数の平坦面を有するダイヤカット意匠を施してあるが、球面形状でもよく、塞ぎ部Ｆの頂部は平坦面になっているが、球面形状の一部であってもよい。
前記開放部Ｋは図５、６に示す如く、フック部６の先端部から遠く離れており、カバー体４を塞ぎ部Ｆがフック嵌め空間Ｓに対向する位置から略９０度回動することにより、開
放部Ｋがフック嵌め空間Ｓに対向することになり、その結果フック嵌め空間Ｓの上方を開放し、フック部６への被掛合部材Ｒの引っ掛け（掛合）を可能にする。
【００２２】
この開放部Ｋは、底面が円弧凹状であるが平坦底でもよく、前面壁４ｃに塞ぎ部Ｆを１つのみ形成する場合は、前面の残余は平坦な開放部Ｋとなる。
カバー体４は塞ぎ部Ｆが一対形成されている場合には、一対の塞ぎ部Ｆの一方がフック部６の上下に位置してフック嵌め空間Ｓを塞ぎ（カバー体４がフック嵌め空間塞ぎ位置の状態）、上下２つの挿入片９ａの凹部９ｂが塞ぎ位置決め凹部９ｂとなって係合突起８ｂと係合して、カバー体４を塞ぎ位置に位置決め保持する。
【００２３】
この状態から、塞ぎ位置決め凹部９ｂを係合突起８ｂから離脱させながらカバー体４を略９０度回動させると、一対の開放部Ｋの一方がフック嵌め空間Ｓと対向することになり、その結果、フック嵌め空間Ｓの上方を開放し（カバー体４がフック嵌め空間開放位置の状態）、前記上下２つの挿入片９ａの間の挿入片９ａに形成した凹部９ｃが開放位置決め凹部９ｃとなって係合突起８ｂと係合して、カバー体４を開放位置に位置決め保持する。
【００２４】
カバー体４は円周方向１８０度回動した位置でもフック体３に嵌合装着でき、その場合は、前記一対の塞ぎ部Ｆの他方と、一対の開放部Ｋの他方とが、フック嵌め空間Ｓに対向することになる。
カバー体４は塞ぎ部Ｆが１つのみ形成されている場合には、塞ぎ位置決め凹部９ｂと開放位置決め凹部９ｃとはそれぞれ１つずつでよい。この場合、フック嵌め空間開放位置のカバー体４を１８０度回動してフック嵌め空間開放位置になるように構成することができる。
【００２５】
なお、本発明は前記実施形態に限定されるものではなく、部材の形状、構成及び組み合わせ等を変更したりすることもできる。
例えば、取り付け台部５の円形外周面に雄ネジを形成し、カバー体４の円形外周壁４ａの内面に雌ネジを形成して、フック体３に対してカバー体４を螺合装着するようにしてもよい。
【００２６】
取り付け台部５及びカバー体４を正面視正方形に形成し、カバー体４を離脱してから９０度回転してフック体３に嵌合すようにしてもよい。
【符号の説明】
【００２７】
１        フック具
３        フック体
４        カバー体
４ａ      外周壁
４ｂ      内周壁
４ｃ      前面壁
５        取り付け台部
６        フック部
８        嵌合部
８ａ      溝部
８ｂ      係合突起
９        被嵌合部
９ａ      挿入片
９ｂ      塞ぎ位置決め凹部
９ｃ      開放位置決め凹部
１２      ネジ挿入孔
１３      切欠
Ｆ        塞ぎ部
Ｋ        開放部
Ｒ        被掛合部材
Ｓ        フック嵌め空間
Ｗ        外壁
【図１】
2020139617.tif 000003
【図２】
2020139617.tif 000004
【図３】
2020139617.tif 000005
【図４】
2020139617.tif 000006
【図５】
2020139617.tif 000007
【図６】
2020139617.tif 000008
【図７】
2020139617.tif 000009
【図８】
2020139617.tif 000010
【図９】
2020139617.tif 000011
【図１０】
2020139617.tif 000012